(57)【要約】【課題】軽量で携行に至便であり、各種器物に装着可能な汎用性ある小型ＬＥＤライトを提供することにある。【解決手段】小型ＬＥＤライトＳＬは、硬質樹脂からなる中空直方体状の本体部１と、本体部１内に収納される電池Ｂと、本体部の上面に取り付けられた押圧型スイッチＳＷと、本体部１の前面に取り付けられたＬＥＤと、本体部１の下面に一体的に形成された止着具を保持する止着具取付部２と、該止着具取付部２に係止可能な１〜複数の止着具、例えば、面ファスナーＭＦ、樹脂製結束バンド、伸縮性バンド、伸縮性紐状体又は／及び樹脂製クリップＣＲ又は金属製クリップ、又はワンプッシュ型クリップ等から構成されている。【選択図】図１
0003184905.tif 000002
【実用新案登録請求の範囲】
【請求項１】
高輝度発光ダイオードを光源とする各種器物に装着可能な小型ＬＥＤライトであって、
硬質樹脂からなる中空直方体状の本体部と、該本体部内に収納される電池と、前記本体部の上面に取り付けられた押圧型スイッチと、前記本体部の前面に取り付けられたＬＥＤライトと、前記本体部の下面に一体的に形成された止着具を保持する止着具取付部と、該止着具取付部に係止可能な１〜複数の止着具とから構成された小型ＬＥＤライト。
【請求項２】
前記電池は取替可能なボタン電池であることを特徴とした請求項１に記載した小型ＬＥＤライト。
【請求項３】
前記押圧型スイッチによる照明は、通常照明、緩急点滅照明の多段階に切り換え可能とされていることを特徴とした請求項１に記載した小型ＬＥＤライト。
【請求項４】
前記押圧型スイッチの頂部は、本体部上面とほぼ面一か又は前記上面以下とされていることを特徴とした請求項１又は請求項３に記載した小型ＬＥＤライト。
【請求項５】
前記止着具が面ファスナー、樹脂製結束バンド、伸縮性バンド、伸縮性紐状体又は／及び樹脂製又は金属製クリップ、又はワンプッシュ型クリップであることを特徴とした請求項１に記載した小型ＬＥＤライト。
【請求項６】
前記本体部後部の電池収納部には発音体又は／及びフィギュアを取り付けたストラップ挿通用の挿通孔が設けられていることを特徴とした請求項１又は請求項４に記載した小型ＬＥＤライト。
【請求項７】
前記本体部は、シリコンゴム又は軟質樹脂製の薄膜シートで被覆されていることを特徴とした請求項１、請求項４又は請求項６の何れかに記載した小型ＬＥＤライト。
【請求項８】
前記本体部の内部にはＧＰＳ機能付きマイクロチップを取り付けていることを特徴とした請求項１、請求項４、請求項６又は請求項７の何れかに記載した小型ＬＥＤライト。
【考案の詳細な説明】
【技術分野】
【０００１】  本考案は、小型ＬＥＤライトに係り、より詳しくは、軽量で携行に至便であり、各種器物に装着可能な汎用性ある小型ＬＥＤライトに関する。
【背景技術】
【０００２】  高輝度発光ダイオードの出現により、携行可能な各種の超小型化、高性能の照明器具が各種市販され提案されている。例えば特許文献１（第１頁、図１参照）の「携帯用ＬＥＤライト」、特許文献２（第１頁、図１参照）の「工具用吸着ライト」、特許文献３（第１頁、図１参照）の「メガネ直付け照明具」及び特許文献４（第１頁、図１参照）の「ＬＥＤ照明つきペン」等々である。【０００３】  特許文献１は、本体の底部にリングを取り付けて指輪のように指にはめて使用するものである。特許文献２は、工具の先端にマグネットを介して吸着させて使用するものである。特許文献３は、メガネのつるの部分に照明装置一式を取り付けてなるものであり、また特許文献４は、筆記用具のペンの先端に白色ＬＥＤを２個装備してなるものである。【０００４】  上記特許文献１〜特許文献４は、いずれも小型化され、携行には良好であるが取付器物が単一であり、多用途ないしは汎用性に欠けるものである。
【先行技術文献】
【特許文献】
【０００５】
【特許文献１】実用新案登録第３０９３６７３号公報
【特許文献２】特開２００５−６３９２５号公報
【特許文献３】特開平９−１７２０４号公報
【特許文献４】実用新案登録第３０９０４６９号公報
【考案の概要】
【考案が解決しようとする課題】
【０００６】  そこで本願考案者は、上記従来技術の欠点を解消すべく鋭意検討し、多用途に使用可能な小型ＬＥＤライトを創案した。【０００７】  本考案が解決しようとする課題の、
（１）第１課題は、軽量で携行に至便であり、各種器物に装着可能な汎用性ある小型ＬＥＤライトを提供することである。
（２）第２課題は、誤作動による無駄な点灯を防止すると共に倉庫等における検品作業等における室内照明が不要な小型ＬＥＤライトを提供することである。
（３）第３課題は、アクセサリー感覚で装着して携行可能であると共に紛失防止が可能な小型ＬＥＤライトを提供することである。
【課題を解決するための手段】
【０００８】  課題を解決するための手段は、本願、実用新案登録請求の範囲の各請求項に記載の考案であり、その具体的な解決手段は、以下の通りである。
第１の考案は、請求項１に記載の考案であり、
高輝度発光ダイオードを光源とする各種器物に装着可能な小型ＬＥＤライトであって、硬質樹脂からなる中空直方体状の本体部と、該本体部内に収納される電池と、前記本体部の上面に取り付けられた押圧型スイッチと、前記本体部の前面に取り付けられたＬＥＤライトと、前記本体部の下面に一体的に形成された止着具を保持する止着具取付部と、該止着具取付部に係止可能な１〜複数の止着具とから構成されたことを特徴としている。【０００９】  第２の考案は、請求項２に記載の考案であり、
前記電池は取替可能なボタン電池であることを特徴としている。【００１０】  第３の考案は、請求項３に記載の考案であり、
前記押圧型スイッチによる照明は、通常照明、緩急点滅照明の多段階に切り換え可能とされていることを特徴としている。【００１１】  第４の考案は、請求項４に記載の考案であり、
前記押圧型スイッチの頂部は、本体部上面とほぼ面一か又は前記上面以下とされていることを特徴としている。【００１２】  第５の考案は、請求項５に記載の考案であり、
前記止着具が面ファスナー、樹脂製結束バンド、伸縮性バンド、伸縮性紐状体又は／及び樹脂製又は金属製クリップ、又はワンプッシュ型クリップであることを特徴としている。【００１３】  第６の考案は、請求項６に記載の考案であり、
前記本体部後部の電池収納部には発音体又は／及びフィギュアを取り付けたストラップ挿通用の挿通孔が設けられていることを特徴としている。【００１４】  第７の考案は、請求項７に記載の考案であり、
前記本体部は、シリコンゴム又は軟質樹脂製の薄膜シートで被覆されていることを特徴としている。【００１５】  第８の考案は、請求項８に記載の考案であり、
前記本体部の内部にはＧＰＳ機能付きマイクロチップを取り付けていることを特徴としている。
【考案の効果】
【００１６】  本考案に係る、小型ＬＥＤライトは、上記のような特徴的構成要件から構成され、特徴的構成要件に応じた、以下のような本考案特有の効果を奏する。
また、上記の各考案に応じた、上記のような特徴的構成要件から構成された小型ＬＥＤライトによれば、本考案の課題を十分解消することができた。
○第１の考案の効果
第１の考案によれば、高輝度発光ダイオードを光源とする各種器物に装着可能な小型ＬＥＤライトであって、硬質樹脂からなる中空直方体状の本体部と、該本体部内に収納される電池と、前記本体部の上面に取り付けられた押圧型スイッチと、前記本体部の前面に取り付けられたＬＥＤライトと、前記本体部の下面に一体的に形成された止着具を保持する止着具取付部と、該止着具取付部に係止可能な１〜複数の止着具とから構成されたという特徴的な構成要件により、本考案が解決しようとする第１課題〜第３課題を達成することができ、当業者予測不可能な顕著な効果を奏することができた。【００１７】  ○第２の考案の効果
第２の考案によれば、前記電池は取替可能なボタン電池であることを特徴としているという特徴的な構成要件により、本考案が解決しようとする第１課題〜第３課題を達成することができ、当業者予測不可能な顕著な効果を奏することができた。【００１８】  ○第３の考案の効果
第３の考案によれば、前記押圧型スイッチによる照明は、通常照明、緩急点滅照明の多段階に切り換え可能とされていることを特徴としているという特徴的な構成要件により、本考案が解決しようとする第１課題〜第３課題を達成することができ、当業者予測不可能な顕著な効果を奏することができた。【００１９】  ○第４の考案の効果
第４の考案によれば、前記押圧型スイッチの頂部は、本体部上面とほぼ面一か又は前記上面以下とされていることを特徴としているという特徴的な構成要件により、本考案が解決しようとする第１課題〜第３課題を達成することができ、当業者予測不可能な顕著な効果を奏することができた。【００２０】  ○第５の考案の効果
第５の考案によれば、前記止着具が面ファスナー、樹脂製結束バンド、伸縮性バンド、伸縮性紐状体又は／及び樹脂製又は金属製クリップ、又はワンプッシュ型クリップであることを特徴としているという特徴的な構成要件により、本考案が解決しようとする第１課題〜第３課題を達成することができ、当業者予測不可能な顕著な効果を奏することができた。【００２１】  ○第６の考案の効果
第６の考案によれば、前記本体部後部の電池収納部には発音体又は／及びフィギュアを取り付けたストラップ挿通用の挿通孔が設けられていることを特徴としているという特徴的な構成要件により、本考案が解決しようとする第１課題〜第３課題を達成することができ、当業者予測不可能な顕著な効果を奏することができた。【００２２】  ○第７の考案の効果
第７の考案によれば、前記本体部は、シリコンゴム又は軟質樹脂製の薄膜シートで被覆されていることを特徴としているという特徴的な構成要件により、本考案が解決しようとする第１課題〜第３課題を達成することができ、当業者予測不可能な顕著な効果を奏することができた。特に雨天時又は誤って道路の水溜り等に小型ＬＥＤライトＳＬを落としても防水加工されているので、なんらの影響を受けることなく、使用することができる。【００２３】  ○第８の考案の効果
第８の考案によれば、前記本体部の内部にはＧＰＳ機能付きマイクロチップを取り付けていることを特徴としているという特徴的な構成要件により、本考案が解決しようとする第１課題〜第３課題を達成することができ、当業者予測不可能な顕著な効果を奏することができた。特に小型ＬＥＤライトＳＬを携行しているだけで不慮の災害発生時における捜索等にはもちろん、防犯上等にも有効な効果を発揮できる。
【図面の簡単な説明】
【００２４】
【図１】（ａ）本考案に係る、小型ＬＥＤライトの実施形態を示すもので、（ａ）は平面図、（ｂ）は側面図、（ｃ）は図１におけるｃ−ｃ線断面図である。
【図２】電池交換時における電池収納部を回動した状態の側面図である。
【図３】（ａ）ワンプッシュ型クリップの分解斜視図、（ｂ）は本考案に係る、小型ＬＥＤライトに上記のワンプッシュ型クリップを取り付けた状態の正面図である。
【図４】本考案に係る、小型ＬＥＤライトを作業用手袋に装着した状態の平面である。
【図５】同上、筆記用具に装着した状態の側面図である。
【図６】同上、眼鏡に装着した状態の斜視図である。
【図７】同上、帽子のひさしに装着した状態の斜視図である。
【図８】同上、自転車の後部荷台に装着した状態の斜視図である。
【考案を実施するための形態】
【００２５】  本考案における小型ＬＥＤライトＳＬを添付の図面に基づいて詳細に説明する。図１は、本考案における小型ＬＥＤライトＳＬの実施形態を示し、小型ＬＥＤライトＳＬは、硬質樹脂からなる中空直方体状の本体部１と、本体部１内に収納される電池Ｂと、本体部の上面に取り付けられた押圧型スイッチＳＷと、本体部１の前面に取り付けられたＬＥＤと、本体部１の下面に一体的に形成された止着具を保持する止着具取付部２と、該止着具取付部２に係止可能な１〜複数の止着具、例えば、面ファスナーＭＦ、樹脂製結束バンド、伸縮性バンド、伸縮性紐状体又は／及び樹脂製クリップＣＲ又は金属製クリップ、又はワンプッシュ型クリップ等から構成されている。本体部１は、図１（ａ）〜（ｃ）に示すように、ＬＥＤ装着部３、電池収納部４及び回動軸４ａ、ストラップ挿通部４ｂ、接触片ＴＰ等を除いて半割り構造とされている。電池Ｂは、取替可能なボタン電池で、電池収納部４に図１（ｂ）〜（ｃ）に示すように、縦状に３個が収納されている。電池収納部４は、底部近傍に設けられた回動軸４ａによって下方に向けて回動可能に軸支されている。電池Ｂを交換するには、まずクリップＣＲを止着具取付部２からいったん取り外した後、図１（ｃ）に示す電池収納部４の頂部にある係止爪４ｃを本体部１の係止爪１ｃから指先等で離脱させると、電池収納部４は、回動軸４ａを支点として電池Ｂの重さでクリップＣＲと共に図１（ｂ）の矢印Ｄのように下方に回動し、図２に示すようにほぼ９０°上向きに開口するので、新しい電池Ｂと簡単に交換することができる。
【００２６】  図１（ｂ）に示すＬは、小型ＬＥＤライトＳＬの全長寸法であり、４５ｍｍである。高さ寸法Ｈは、１４ｍｍで、総重量は１５ｇと軽量になっている。したがって、小型ＬＥＤライトＳＬはバッグや衣類のポケット等に収容して携行するのに至便である。
【００２７】  図１（ｃ）に示すように、スイッチＳＷの頂部は、本体部１の上面とほぼ面一又はそれ以下とされているので、バッグ等にいれて携行時、スイッチＳＷが他の部材等への接触に伴う誤作動による無駄な点灯を防止することができる。
【００２８】  図１（ａ）〜（ｃ）に示すストラップ挿通部４ｂには、ストラップにフィギュアや発音体（不図示）、例えば、小鈴等を括りつけて装着すれば、アクセサリー感覚で装着して携行できると共に、小型ＬＥＤライトＳＬが地面、床面等に落下したとき、発音体が音を発するので小型ＬＥＤライトＳＬの紛失を防止することができる。また図示していないが、本体部１の外表面は、シリコンゴム又は軟質樹脂製の薄膜シートで被覆されているので、雨天時又は誤って道路の水溜り等に小型ＬＥＤライトＳＬを落としても防水加工されているので、なんらの影響を受けることなく、使用することができる。さらに図１（ｃ）に示すように、本体部１における係止爪１ｃの近傍には、ＧＰＳ機能付きマイクロチップＭＣが取り付けられているので、小型ＬＥＤライトＳＬを携行しているだけで不慮の災害発生時における捜索等にはもちろん、防犯上等にも有効な効果を発揮できる。
【００２９】  ＬＥＤは、１．５Ｖのボタン電池Ｂ３個で発光することできる。ＭＰは弾性金属板で、本体部１の側壁に取り付けられ電池Ｂを圧接している。ＴＰはＬＥＤを点灯、消灯するための圧着端子である。スイッチＳＷによる点灯・消灯及び照明は、通常照明、緩急点滅照明の多段階に切り換え可能とされている。スイッチＳＷを１回押圧すれば、点灯し、２度押せば急点滅し、３度目には緩点滅し次にスイッチＳＷを押せば消灯するようになっている。
【００３０】  本考案に係る小型ＬＥＤライトＳＬには、上述したように各種器物に装着するために、少なくとも、１〜複数の止着具、例えば、面ファスナーＭＦ又は／及び樹脂製クリップＣＲ等を掛止、固定可能とされている。面ファスナーＭＦは図１に示すように、止着具取付部２に直交するように掛止され、またクリップＣＲの上板ＣＲ１又は下板ＣＲ２の後端部に形成された山形状の係止部ＣＲ１ａ又はＣＲ２ａに本体部１の底部に形成された固定片１ｄに喰い込むと共に止着具取付部２の先端に形成された凸部２ｂの押圧作用によりクリップＣＲは本体部１に固定される。
【００３１】  図３（ａ）は、止着具の他の実施形態であるワンプッシュ型クリップＰＣＲ（以下、プッシュクリップＰＣＲという）の構成部材を分解して示している。
図３（ｂ）は、本考案に係る、小型ＬＥＤライトにワンプッシュ型クリップを取り付けた状態を示し、プッシュクリップＰＣＲの主材は、挟着部１０、嵌合部２０及びばねＳから構成されている。挟着部１０は、第１作動片１１と第２作動片１２とからなる。第１作動片１１と第２作動片１２には回動軸１３、１４を挿通するための軸孔１３ａ、１４ａが設けられている。ばねＳは第１作動片１１と第２作動片１２の中間に介在される。嵌合部２０には開口部２０ａが形成されており、該開口部２０ａ内に第１作動片１１と第２作動片１２が装入され、その第１作動片１１と第２作動片１２は、嵌合部２０の正面に設けられた軸孔２０ａ、２０ｂに回動軸１３、１４によって軸支されている。嵌合部２０の両側面に設けたピン孔２０ｃ、２０ｄには押しピン２１、２２が嵌合部２０内に摺動自在に取り付けられる。２３は嵌合部２０の上面に形成された嵌合片で図３（ｂ）に示す小型ＬＥＤライトＳＬの止着具取付部２に嵌合する部材である。
【００３２】  第１作動片１１と第２作動片１２を作動させて器物Ｋを挟着するときは、図３（ａ）、（ｂ）に示すように、押しピン２１、２２を、例えば、親指と人差指の両指先で同時に嵌合部２０の内方に向けてプッシュすれば、第１作動片１１と第２作動片１２は、図３（ｂ）の二点鎖線（仮想線）に示すように拡開するので器物Ｋに押しピン２１、２２を当接し、両指を押しピン２１、２２から離せば、ばね圧により器物Ｋは押しピン２１、２２で保持される（図６参照）。
【００３３】  次に、本考案に係る小型ＬＥＤライトＳＬの各器物に装着した実施態様について各図を参照して説明する。図４は、本考案に係る小型ＬＥＤライトＳＬを作業用手袋Ｇに装着した状態を示している。小型ＬＥＤライトＳＬは成人の手指に止着可能な大きさであり、かつ軽量であるから、例えば、倉庫等において在庫品のチェックや記帳等に際し、わざわざ倉庫内の天井照明を点灯することなく作業が行うことができ、節電対策となる。
【００３４】  図５は、筆記用具ＢＰに装着した状態を示している。筆記用具ＢＰの軸部のやや先端部に面ファスナーＭＦを巻回して固定して使用すれば、記帳、勉学等に便利である。
【００３５】  図６は、眼鏡ＭのテンプルにプッシュクリップＰＣＲを介して装着した状態を示している。テンプルのほぼ先端部を第１作動片１１と第２作動片１２で挟着して固定することができるので、夜間の交通機関、例えば電車、バス等での帰宅中の新聞閲覧や読書等に利用することができる。
【００３６】  図７は、帽子ＢＣのひさしにクリップＣＲを装着した状態を示している。ひさしの中央先端部にクリップＣＲを介して取り付ければ、夜間における釣りや散歩に好適である。
【００３７】  図８は、自転車ＢＬの後部荷台にクリップＣＲを装着した状態を示している。夜間における自転車ＢＬの尾灯は、判りにくく後続車両に自転車ＢＬが走行していることを知らせるために、小型ＬＥＤライトＳＬのクリップＣＲを後部荷台のフレームＦに挟着し急点滅して走行すれば、後続車のドライバーに注意喚起することができるので追突事故を未然に防止することが可能である。
【符号の説明】
【００３８】ＳＬ…ＬＥＤライト、１…本体部、１ａ…本体部の上面、２…該止着具取付部、３…ＬＥＤ装着部、４…電池収納部、４ａ…回動軸、４ｂ…挿通孔、Ｂ…電池、ＳＷ…スイッチ、ＳＷａ…スイッチの頂部、ＭＦ…面ファスナー、ＣＲ…クリップ、ＰＣＲ…プッシュクリップ
【図１】
0003184905.tif 000003
【図２】
0003184905.tif 000004
【図３】
0003184905.tif 000005
【図４】
0003184905.tif 000006
【図５】
0003184905.tif 000007
【図６】
0003184905.tif 000008
【図７】
0003184905.tif 000009
【図８】
0003184905.tif 000010